(57)【要約】      （修正有）【課題】遊技球の物理的な法則に従った動作を用いて演出する場合に、予測困難性を増大し、かつ当たり又は外れ等の結果が確定するまで、遊技球の動きに興味を持たせる。【解決手段】パチンコ球がセンター役物４２の内部に受け入れられてから、振分部材１０６の何れかの収容部へ至るまでの案内ルートとして、当たり設定収容部１０６Ｂへ収容する確率が１／１０の第１のスロープ１１６Ａと、当たり設定収容部１０６Ｂへ収容する確率が１／１の第２のスロープ１１６Ｂとの２種類を設定し、ソレノイド本体２１４への通電／非通電によって動作する可動片２１８の位置によって選択するようにした。また、第２のスロープ１１６Ｂへの案内を条件を成立した場合とし、当該条件の成立を演出用表示装置５０における演出パターンで報知するようにしたため、遊技者による遊技球の物理的な移動の予測を困難とすることができ、遊技趣向性を向上することができる。【選択図】図４
2006130126.tif 000002
【特許請求の範囲】
【請求項１】
発射された複数の遊技球がランダムな軌道で落下するのを案内する遊技盤を備えた遊技機に用いられ、前記遊技盤面に取り付けられ、所定の条件が成立した場合に特定の空間へ遊技球を受け入れ、当該特定の空間内での遊技球を用いた演出を実行する役物ユニットであって、
前記特定の空間内に受け入れた遊技球が選択的に収容可能な複数の収容部が設けられ、それぞれの収容部には予め当たり又は外れが設定されており、前記遊技球が収容されることによって、前記当たり又は外れを決定するための振分部材と、
前記振分部材を周期動作させる振分部材駆動手段と、
前記特定の空間内に受け入れた遊技球を前記収容部まで案内すると共に、前記当たりと定められた当たり設定収容部への収容確率が異なる複数の案内ルートと、
前記特定の空間内へ受け入れた遊技球を選択的に何れかの前記案内ルートへ案内するように切り替わる切替部材と、
所定の条件の結果に基づいて決定された案内ルートへ遊技球が案内されるように、前記切替部材の切替動作を実行する駆動手段と、
を有する遊技機の役物ユニット。
【請求項２】
前記案内ルートが、当たり設定収容部への収容確率が相対的に低い第１の案内ルートと、当たり設定収容部への収容確率が相対的に高い第２の案内ルートとで構成され、前記切替部材の動作による遊技球の案内方向が、前記所定条件が不成立の場合には前記第１の案内ルートが選択され、所定条件が成立した場合には前記第２の案内ルートが選択されることを特徴とする請求項１記載の役物ユニット。
【請求項３】
前記第２の案内ルートが選択された場合には、前記当たり設定収容部への収容に基づいて実行される特別遊技の収容時に、第１の案内ルートが選択されることを特徴とする請求項２記載の役物ユニット。
【請求項４】
前記所定の条件の結果を表示手段に表示される演出パターンによって報知することを特徴とする請求項１乃至請求項３の何れか１項記載の遊技機の役物ユニット。
【発明の詳細な説明】
【技術分野】
【０００１】
本発明は、発射された複数の遊技球がランダムな軌道で落下するのを案内する遊技盤を備えた遊技機に用いられ、前記遊技盤面に取り付けられ、所定の条件が成立した場合に特定の空間へ遊技球を受け入れ、当該特定の空間内での遊技球を用いた演出を実行する役物ユニットに関するものである。
【背景技術】
【０００２】
遊技機、特にパチンコ機は、遊技仕様により複数種類に分類することができる。この遊技仕様は、従来、第１種、第２種、第３種、一般機種などと称され、それぞれ独立した単独の遊技仕様によって遊技が進行する構成となっている。なお、将来的には、単独の遊技仕様にこだわらない、複合的な遊技仕様の遊技機も提案されている。
【０００３】
第１種パチンコ機では、通常遊技状態で、始動口（特別図柄始動入賞口）に入賞したパチンコ球を検出することで抽選がなされ、この抽選の結果、当たりとなると、前記通常遊技状態では閉止状態とされている大入賞口が所定期間、所定回数開放され（１回の開閉を１ラウンドとし、一般に１０〜１６ラウンド継続する。）、遊技球の入賞率を高める、遊技者に有利な状態とする特別遊技状態（以下、大当り処理という）とすることができる。
【０００４】
また、第２種パチンコ機では、遊技盤面中央に開閉可能な羽根部材を備えた役物装置を具備し、所定の始動口に入賞することで、１回から２回の羽根部材の開閉を行い、その間に役物装置内にパチンコ球が入賞し、かつＶゾーンへ入賞することで、羽根部材を開閉を実行し（最大１０個の入賞で１ラウンド終了）、Ｖゾーンに入賞することで、当該所定回数（一般に１５ラウンド程度）繰り返すことができる。
【０００５】
さらに、第３種パチンコ機では、図柄の抽選結果や入賞球の抽選結果で特別な状態となり、特別な状態中に特定の入賞口に入賞すると、予め定められた期間、電動役物を作動させ、入賞確率を高めることができる。
【０００６】
また、上記一般機種は一般電役機種、等とも呼ばれ、所謂メカ式チューリップ、電動型チューリップ、アタッカ等を初めとする複数の入賞具が遊技盤面に設けられ、遊技盤面に打ち出されたパチンコ球が特定な領域を通過／入賞することに基づき、そのタイミングに応じて上記入賞具が相関的に連動して入賞し易い／し難い状態を順次変化させながら良好な遊技性を形成するものである。
【０００７】
上記各種のパチンコ機の共通点としては、遊技盤上に打ち出されたパチンコ球を何らかの形で振り分けることで、当たり／外れ等を定め、その後の遊技状態に変化をもたらすようにしている。
【０００８】
その中で、パチンコ球自体を用いて、機械的に振り分ける振分装置を備えた役物ユニットを遊技盤に設置する構造のパチンコ機が存在する。例えば、役物ユニットの内部に当たり孔と外れ孔を設けておき、別途設けた図柄変動表示装置により、当たり図柄が揃った場合に、前記役物ユニット内へ入賞したパチンコ球が当たり孔へ誘導されて当たりとなり、例えば、通常閉塞状態である入賞口を開放して、短時間で多くの入賞が可能となる遊技者に有利な遊技状態へ移行させることが提案されている（特許文献１参照）。
【特許文献１】特許第３３００２７５号公報
【発明の開示】
【発明が解決しようとする課題】
【０００９】
しかしながら、上記特許文献１のような従来技術では、役物ユニット内へ入賞したパチンコ球が当たり孔へ誘導されるためには、図柄変動表示装置によって、当たり図柄が揃った場合に限られるため、図柄変動が停止した時点で、役物ユニット内の当たり孔への誘導、外れ孔への誘導の何れかが判明してしまう。
【００１０】
また、役物ユニット内のみで、当たり又は外れを決めるような遊技性を持つパチンコ機の場合、従来の役物ユニットでは、当該役物ユニット内でのパチンコ球の動きの途中で、当たり孔へ導かれるのか、外れ孔へ導かれるのかが、予測可能となることが多く、物理的な法則に従い、かつ動作予測困難な役物ユニット内のパチンコ球の動き（演出）を楽しむという遊技機本来の趣向性が低下することになる。
【００１１】
本発明は上記事実を考慮し、遊技球の物理的な法則に従った動作を用いて演出する場合に、予測困難性を増大し、かつ当たり又は外れ等の結果が確定するまで、遊技球の動きに興味を持たせることができる遊技機の役物ユニットを得ることが目的である。
【課題を解決するための手段】
【００１２】
請求項１に記載の発明は、発射された複数の遊技球がランダムな軌道で落下するのを案内する遊技盤を備えた遊技機に用いられ、前記遊技盤面に取り付けられ、所定の条件が成立した場合に特定の空間へ遊技球を受け入れ、当該特定の空間内での遊技球を用いた演出を実行する役物ユニットであって、前記特定の空間内に受け入れた遊技球が選択的に収容可能な複数の収容部が設けられ、それぞれの収容部には予め当たり又は外れが設定されており、前記遊技球が収容されることによって、前記当たり又は外れを決定するための振分部材と、前記振分部材を周期動作させる振分部材駆動手段と、前記特定の空間内に受け入れた遊技球を前記収容部まで案内すると共に、前記当たりと定められた当たり設定収容部への収容確率が異なる複数の案内ルートと、前記特定の空間内へ受け入れた遊技球を選択的に何れかの前記案内ルートへ案内するように切り替わる切替部材と、所定の条件の結果に基づいて決定された案内ルートへ遊技球が案内されるように、前記切替部材の切替動作を実行する駆動手段と、を有している。
【００１３】
請求項１記載の発明によれば、遊技盤上に発射された遊技球は、遊技の進行に基づく特定の契機に、役物ユニット内の特定の空間に入賞する（特定の空間への受け入れ）。
【００１４】
この間に入賞した遊技球は、複数の案内ルートの何れかの経路を通って、振分部材に設けられた当たりが設定された収容部、或いは外れが設定された収容部への収容位置へと移動（転動）する。
【００１５】
振分部材は、振分部材駆動手段の駆動力で周期動作を行っており、複数の収容部材は、当たり通路及び外れ通路に順次対応する。。
【００１６】
この結果、当たり設定収容部に収容された場合、外れ設定収容部に収容された場合のそれぞれが所定の確率で可能性を持つ。
【００１７】
より具体的に言えば、振分部材への収容後において、当たりと定められた収容部が当たり通路に対応すると、遊技球は当たり通路に案内されるが、外れと定められた収容部が当たり通路に対応しても、遊技球は当たり通路には案内されない。
【００１８】
また、逆に外れと定められた収容部が外れ通路に対応するすると、遊技球は外れ通路に案内されるが、当たりと定められた収容部が外れ通路に対応しても、遊技球は外れ通路には案内されない。
【００１９】
すなわち、当たりと定められた収容部に収容された遊技球は確実に当たり通路へ案内され、外れと定められた収容部に収容された遊技球は確実に外れ通路へ案内される。
【００２０】
ここで、請求項１では、上記収容部への収容において、遊技球が当たり設定収容部に収容される確率を複数の案内ルート毎に異ならせ、切替部材の切替動作によって選択可能としている。このような構成の下、所定の条件の結果に基づいて、前記切替部材の切替動作を実行することで、当たり設定収容部への収容までのバリエーションが増え、遊技者による予測を困難とすることができる。
【００２１】
請求項２に記載の発明は、前記請求項１に記載の発明において、前記案内ルートが、当たり設定収容部への収容確率が相対的に低い第１の案内ルートと、当たり設定収容部への収容確率が相対的に高い第２の案内ルートとで構成され、前記切替部材の動作による遊技球の案内方向が、前記所定条件が不成立の場合には前記第１の案内ルートが選択され、所定条件が成立した場合には前記第２の案内ルートが選択されることを特徴としている。
【００２２】
請求項２に記載の発明によれば、相対的に当たり設定収容部への収容確率が低い第１の案内ルートと、収容確率が高い第２の案内ルートと、を設定しておき、切替部材の動作による遊技球の案内方向を、前記所定条件が不成立の場合には前記第１の案内ルートが選択し、所定条件が成立した場合には前記第２の案内ルートが選択する。
【００２３】
この結果、条件の結果によって、物理的な遊技球の案内軌道、並びに当たり設定収容部への収容の可能性が異なるため、最終的に遊技球が収容部に収容されるまで期待感を持続することができる。
【００２４】
請求項３に記載の発明は、前記請求項２に記載の発明において、前記第２の案内ルートが選択された場合には、前記当たり設定収容部への収容に基づいて実行される特別遊技の収容時に、第１の案内ルートが選択されることを特徴としている。
【００２５】
請求項３に記載の発明によれば、通常遊技状態では、切替部材は、遊技球を第１の案内ルートへ案内するように位置しており、所定の条件が成立すると、切替部材が遊技球を第２の案内ルートへ案内するように動作する。
【００２６】
その後、当たり設定収容部への収容に基づいて実行される特別遊技の収容時に、第１の案内ルートが選択され、通常遊技に復帰する。
【００２７】
請求項４に記載の発明は、前記請求項１乃至請求項３の何れか１項記載の発明において、前記所定の条件の結果を表示手段に表示される演出パターンによって報知することを特徴としている。
【００２８】
請求項４に記載の発明によれば、切替部材を動作させ、案内ルートを選択するための所定の条件の結果を、表示手段に表示する演出パターンによって報知する。
【００２９】
例えば、この演出パターンの終了（すなわち、結果報知）をトリガとして、切替部材を動作させることで、報知結果を認識するまで案内ルートが特定できず、かつ、特定された案内ルート毎に当たり設定収容部への収容確率が異なるため、遊技者は遊技球が収容部の何れかへ収容されるまで、期待感をもって遊技球の物理的な動作を見ることができる。
【発明の効果】
【００３０】
以上説明した如く本発明では、遊技球の物理的な法則に従った動作を用いて演出する場合に、予測困難性を増大し、かつ当たり又は外れ等の結果が確定するまで、遊技球の動きに興味を持たせることができるという優れた効果を有する。
【発明を実施するための最良の形態】
【００３１】
図１には、本実施の形態に係るパチンコ機１０が示されている。
【００３２】
パチンコ機１０の外形を構成する内枠１４には、ガラス枠２０が嵌め込まれており、複数の表示灯６２やスピーカ６４が設けられている。また、ガラス枠２０の中央は、窓部となっており、この窓部には紙面奥行き方向に所定の間隔で互いに平行とされた一対のガラス１６（二重構造）が装着されている。また、内枠１４の図１の右辺部には施錠装置（シリンダ）２２が設けられている。
【００３３】
ガラス枠２０の下方位置には、球皿部２４を備えた一体皿２６が配設されている。この一体皿の球皿部２４には、貯球タンク（図示省略）と連通し、この貯球タンク内のパチンコ球を球皿部２４へ流出させる連通口２３が設けられている。
【００３４】
一体皿２６は、その一側部（図１の左辺部）が内枠１４に対して開閉可能に取付けられている。一体皿２６の前面には、左側下部に灰皿２８が配置され、右側下部には発射装置（図示省略）から発射する打球の飛距離を調整するための発射ハンドル３０が設けられている。
【００３５】
また内枠１４の窓部には、遊技盤載置台に載せて交換可能とされた遊技盤３２が窓部に対応して設置されている。
【００３６】
図２に示される如く、遊技盤３２は、外バンド３６及び内バンド３８によって囲まれた略円形状の遊技領域が形成されている。
【００３７】
遊技領域には、図示しない釘や風車の他、センター役物４２、センター役物４２の内部（特定の空間）へパチンコ球を入賞する契機を形成する始動入賞口４６、４７、普通図柄始動通過装置４８、演出用表示装置５０、当該演出用表示装置５０の一部（左下部）に設けられた普通図柄変動表示装置５２、大入賞口５３等の遊技部品が取り付けられており、最下位置にアウト口５４が配置されている。
【００３８】
始動入賞口４６、４７は、センター役物４２に左右対称に一対設けられた羽根部材４２Ａを開放状態（図２の実線状態）とするためのトリガとなる入賞口であり、図２に「１」と表示されている左右の始動入賞口４６にパチンコ球が入賞すると、羽根部材４２Ａが１回、開放する（開放時間は、約０．５秒）。一方、図２に「２」と表示されている中央の始動入賞口４７にパチンコ球が入賞すると、羽根部材４２Ａが２回開放する（開放時間は、１回約１秒）。
【００３９】
また、始動入賞口４７には、電動役物としての電動チューリップ４７Ａが設けられており、通常は閉じ状態となっている。なお、始動入賞口４７は、電動チューリップ４７Ａが閉じているときでも（図２の状態）、上部はパチンコ球が通過できる幅分だけ開放されており、電動チューリップ４７Ａが開放したときには、それよりも広いエリアのパチンコ球を入賞させることができる構造となっている。
【００４０】
電動チューリップ４７Ａの開放は、普通図柄通過装置４８をパチンコ球が通過したときに実行される抽選の結果に基づく。すなわち、普通図柄通過装置４８をパチンコ球が通過すると、所定の確率の下での抽選（例えば、乱数カウンタから乱数を取得）が実行され、この抽選の結果（取得乱数と当たり値との比較照合）を普通図柄変動表示装置５２に表示される図柄変動によって報知し、停止した図柄が当たりの場合に、所定時間電動チューリップ４７Ａを開放する構成となっている。
【００４１】
また、前記大入賞口５３は、センター役物４２内で実行されるパチンコ球を用いた振り分け動作演出の結果に基づいて、開放するか否かが決められており、通常は閉じ状態となっている。すなわち、センター役物４２内では、羽根部材４２Ａの開放時に入賞したパチンコ球の振り分け動作演出が実行され、後述する当たり通路１３０（図４参照）へパチンコ球が案内されることを契機に大入賞口５３を所定時間、所定回数開放するものである。
【００４２】
以下、大入賞口５３を開放するか否かを決定するためのパチンコ球の振り分け動作を実行するセンター役物４２に設けられた振分装置４３の詳細の構造を図３及び図４に示す。
【００４３】
図３及び図４に示される如く、センター役物４２は、中央に円筒部材１００を備えた役物本体１０２と、この役物本体１０２を支持するための支持ベース１０４と、前記円筒部材１００に収容される円盤状の振分部材１０６と、で構成されている。
【００４４】
役物本体１０２の円筒部材１００の上端面は、所謂袈裟懸け状に切断されており、その最低位部は、幅寸法がパチンコ球が２個分（直径×２）の切欠部１０８が形成されている。
【００４５】
円筒部材１００は、底板部１１０が設けられており、その中心部には、貫通孔１１２が設けられ、後述するモータ１１４の回転軸１１４Ａが突出するようになっている。
【００４６】
役物本体１０２の円筒部材１００の周囲には、前記袈裟懸け状とされた円筒部材１００の上端面に平行なスロープ１１６が形成されている。
【００４７】
このスロープ１１６の最高位点は、前記羽根部材４２Ａ（図２参照）が開放したときにパチンコ球が送り込まれる転動開始点とされ、この転動開始点から右回り又は左回りにスロープ１１６に沿って約１８０°転動するようになっている。
【００４８】
また、役物本体１０２には、円筒状の４本の脚部１１８（図３では２本のみ図示）が、支持ベース１０４方向に突出するように設けられている。この脚部１１８の突出先端は、支持ベース１０４に突き当てられており、これにより、役物本体１０２は、支持ベース１０４に対して、脚部１１８を介して支持されている。なお、４本の脚部１１８は、それぞれ、図示しないビスが支持ベース１０４の裏面（下面）側から螺合され、当該支持ベース１０４に固定されている。
【００４９】
支持ベース１０４は、略矩形状で、一辺の周端から中央に向けて、略Ｕ字型の切欠部１０４Ａが形成されている。
【００５０】
切欠部１０４Ａは、支持ベース１０４の下面に取り付けられたモータ１１４の回転軸１１４Ａが収容されている。
【００５１】
モータ１１４の回転軸１１４Ａは、前記役物本体１０２の底部１１０に形成された貫通孔１１２を貫通し、先端部は、円筒部材１００の内方空間に位置している。
【００５２】
この回転軸１１４Ａには、前記振分部材１０６が嵌合されており、モータ１１４の駆動力で、振分部材１０６は、円筒部材１００の中で回転する構成である。なお、本実施の形態では、振分部材１０６は、一定速度で、一定方向（図３の左回り（反時計回り方向））に回転するように制御されている。
【００５３】
振分部材１０６には、その外周端に沿って、複数（本実施の形態では、１０個）の切欠部が形成され、パチンコ球の収容部１０６Ａ、１０６Ｂとされている。
【００５４】
収容部１０６Ａ、１０６Ｂは、平面視で略Ｕ字形状となっており、構造的に異なる２種類で構成されている。一方は、底が無く、かつ周壁１２０が存在する構造であり、以下、外れ設定収容部１０６Ａとする。また、他方は、底部１２２が有り、かつ周壁が存在しない構造であり、以下、当たり設定収容部１０６Ｂとする。
【００５５】
外れ設定収容部１０６Ａと当たり設定収容部１０６Ｂの数の比率は、９：１（９個の外れ設定収容部１０６Ａと１個の当たり設定収容部１０６Ｂ）とされている。
【００５６】
この外れ設定収容部１０６Ａと当たり設定収容部１０６Ｂが形成された振分部材１０６が、一定速度で一定方向に回転すると、前記円筒部材１００に形成された切欠部１０８に順次対応することになり、パチンコ球がこの切欠部１０８から円筒部材１００の内側へ至るタイミングで、外れ設定収容部１０６Ａ又は当たり設定収容部１０６Ｂの何れかに収容されることになる。
【００５７】
この収容されるパチンコ球は、前記スロープ１１６を転動してくるパチンコ球が対象となっている。
【００５８】
ここで、本実施の形態では、スロープ１１６を２種類に分類している。すなわち、図３及び図４の左回り（反時計方向回り）を通常ルートとして設定しており、以下、この左回りのスロープ１１６を第１のスロープ１１６Ａとする。また、図３及び図４の右回り（時計方向回り）を特別ルートとして設定しており、以下、この右回りのスロープ１１６を第２のスロープ１１６Ｂとする。
【００５９】
本実施の形態では、前記最高位点には、スロープ１１６と一体形成した既設面部２００が形成されている。この既設面部２００は、その傾斜方向が第１のスロープ１１６側が低位面となっており、当該既設面部２００に到達した場合には、パチンコ球は第１のスロープ１１６Ａに案内されることになる。
【００６０】
ここで、前記既設面部２００におけるスロープ１１６の半径方向には、切替装置２０２が配設されている。この切替装置２０２は、ベース板２０４が、前記役物本体１０２に取り付けられている。ベース板２０４には、一対の支柱２０６（一方のみ図示）が立設され、当該一対の支柱２０６の上端部に天板２０８が取り付けられている。これにより、天板２０８は、前記ベース板２０４との間で、所定の空間を持って、略平行状態で配設されることになる。なお、天板２０８には、一対の長孔２１０が設けられ、前記一対の支柱２０６の取付孔として適用されている。すなわち、長孔２１０の長手方向に亘り、天板２０８とベース板２０４との相対位置関係を調整することができるようになっている。
【００６１】
天板２０８の下端面、すなわち、ベース板２０４との間の空間部には、ソレノイドユニット２１２が載置され、当該天板２０８の下端部に固定されている。
【００６２】
ソレノイドユニット２１２は、ソレノイド本体２１４とこのソレノイド本体を収容する箱体２１６とで構成され、ソレノイド本体２１４には、役物ユニット１０２におけるスロープ１１６の既設面部２００に向けて伸縮するプランジャ２１４Ａが取り付けられている。プランジャ２１４Ａは、通電又は非通電することで、伸長又は収縮する。
【００６３】
このプランジャ２１４Ａにおける前記役物ユニット１０２との対向先端部には、当該プランジャ２１４Ａが伸長したときに前記既設面部２００の上方に配置され、当該既設面部２００と傾斜方向が１８０°反転された（すなわち、第２のスロープ１１６Ｂ側が低位面とされた）可動片２１８を有する切替部材２２０が取り付けられている。
【００６４】
このため、パチンコ球が既設面部２００に到達するときに、プランジャ２１４Ａが伸長して前記既設面部２００の上に可動片２１６が配置されている場合には、遊技球は、第２のスロープ１１６Ｂへ案内されることなる。言い換えれば、プランジャ２１４Ａが収縮して前記既設面部２００の上から可動片２１６が待避している場合には、前述の如く、遊技球は、第１のスロープ１１６Ａに案内されることになる。
【００６５】
なお、一例として本実施の形態では、ソレノイド本体２１４への通電でプランジャ２１４Ａの伸長（既設面部２００上への可動片２１８の配置）とし、非通電でプランジャ２１４Ａの収縮（既設面部２００上からの可動片２１８の待避）とする。
【００６６】
前記第１のスロープ１１６Ａで略１８０°分だけ転動した位置には、通常ステージ１２４が設けられている。なお、この通常ステージ１２４には、縦壁部１２６を介して前記第２のスロープ１１６Ｂで１８０°分転動した位置とされる特別ステージ１２８が隣接して設けられている。
【００６７】
通常ステージ１２４及び特別ステージ１２８は、前記円筒部材１００の切欠部１０８に対応しており、通常ステージ１２４又は特別ステージ１２８に到達したパチンコ球は、振分部材１０６へ送り出されることになる。
【００６８】
ここで、通常ステージ１２４は、その高さ位置が、前記振分部材１０６の外れ設定収容部１０６Ａに設けられた周壁１２０の上端の高さ位置よりも高くなっており、振分部材１０６に形成された全ての収容部（外れ設定収容部１０６Ａ及び当たり設定収容部１０６Ｂ）に収容可能であり、１／１０の確率で当たり設定収容部１０６Ｂに収容することになる。
【００６９】
一方、特別ステージ１２８は、その高さ位置が、前記振分部材１０６の外れ設定収容部１０６Ａに設けられた周壁１２０の上端の高さ位置よりも低くなっており、振分部材１０６に形成された外れ設定収容部１０６Ａには、周壁１２０が防壁となって、パチンコ球の収容が阻止されるようになっている。これに対して、当たり設定収容部１０６Ｂには、前述の如く、周壁が存在しないため、パチンコ球が収容可能である。従って、パチンコ球がいかなるタイミングで特別ステージ１２８に到達しようと、必ず（１００％の確率で）当たり設定収容部１０６Ｂに収容されることになる。
【００７０】
円筒部材１００の内周面における、前記切欠部１０８が形成された位置に対して、振分部材１０６の回転方向（反時計回り）下流側には、当たり通路１３０に通じる開口部（以下、当たり孔１３２という）が形成されている。この当たり孔１３２は、振分部材１０６の周面が対向するようになっている。ここで、振分部材１０６が回転して、前記当たり設定収容部１０６Ｂが前記当たり孔１３２に対向すると、当該当たり設定収容部１０６Ｂに収容されたパチンコ球は、当たり通路１３０へと案内されることになる。
【００７１】
一方、前記外れ設定収容部１０６Ａには、周壁１２０が設けられており、この当たり孔１３２に対向したとしても、収容しているパチンコ球は当たり通路１３０へは案内されない。
【００７２】
また、円筒部材１００の底部１１０には、前記当たり通路１３０に通じる当たり孔１３２の、さらに振分部材１０６の回転方向下流側位置に、外れ通路１３４に通じる開口部（以下、外れ孔１３８という）が設けられている。ここで、振分部材１０６が回転して、前記外れ設定収容部１０６Ａが前記外れ孔１３８に対向すると、当該外れ設定収容部１０６Ａに収容されたパチンコ球は、底部が無いため、外れ通路１３４へと案内されることになる。
【００７３】
一方、前記当たり設定収容部１０６Ｂには、底部１２４が設けられており、この外れ孔１３８に対向したとしても、収容しているパチンコ球は外れ通路１３４へは案内されない。
【００７４】
前記切替装置２０２のソレノイド本体２１４への通電又は非通電、すなわち既設面部２００上への切替部材２２０の可動片２１８の配置又は待避は、所定条件が成立したか否かによって決定するようになっている。。
【００７５】
所定の条件の代表的な例として、以下の３種類の条件を挙げることができる。
【００７６】
（１）  羽根部材４２Ａが開放し、センター役物４２の内部に受け入れられたにも関わらず、１００回以上当たり設定収容部１０６Ｂへの収容（すなわち、当たり）がない場合
（２）  例えば、始動入賞口４６、４７への入賞を契機に抽選され、当該抽選に当選した場合
（３）  別途、遊技盤面上に比較的入賞しにくい（或いは通過しにくい）役物を設置し、この役物への入賞又は通過があった場合
ここで、上記３種類の所定の条件を併設した場合には何れかが満足したとき、単体での設置では設置した条件が満足したとき、演出用表示装置５０では、条件が成立したことを所定の演出パターンによって報知するようになっている。この場合、前記条件（１）及び（３）は条件が成立したときのみに変動パターンが実行されるが、条件（２）の場合は、始動入賞口４６、４７に入賞する度に当たり又は外れの演出パターンが実行されることになる。
【００７７】
１つの遊技仕様を説明すると、前記演出パターンが実行され、結果が報知された時点で、前記ソレノイド本体２１４への通電を実行することで、次に羽根部材４２Ａが開放し、パチンコ球がセンター役物４２の内部に入賞すると、確実に当たり（第２のスロープ１１６Ｂへの案内）となる。
【００７８】
以下に本実施の形態の作用を説明する。
【００７９】
パチンコ球が遊技盤３２に向けて発射されると、パチンコ球は釘や風車等に当接し、予期せぬ方向に跳ね返りながら落下していく。
【００８０】
この落下途中において、普通図柄通過装置４８を通過すると、内部的に普通図柄抽選が実行される。すなわち、普通図柄通過装置４８の通過を検出した時点で、乱数カウンタから乱数値を取得し（抽選）、当該取得した乱数値を当たり値と比較照合する（判定）。
【００８１】
この抽選判定の結果は、普通図柄変動表示装置５２に表示される図柄変動によって報知される。
【００８２】
この普通図柄変動表示装置５２での表示において、停止した図柄が当たりの場合には、始動入賞口４７に設けられた電動チューリップ４７Ａを所定時間開放する。この始動入賞口４７は、電動チューリップ４７Ａが閉止状態であっても、パチンコ球が入賞可能な開口は存在し、比較的に低確率で入賞可能ではあるが、電動チューリップ４７Ａが開放すると、広いエリアから落下してくるパチンコ球を入賞対象とすることができ、比較的に高確率での入賞が可能となる。
【００８３】
この始動入賞口４７、或いはもう一方の始動入賞口４６の何れかにパチンコ球が入賞すると、センター役物４２の羽根部材４２Ａが開放する。
【００８４】
すなわち、始動入賞口４６に入賞した場合には、羽根部材４２Ａが１回だけ開閉動作を実行する。このときの開放時間は、約０．５秒である。また、始動入賞口４７に入賞した場合には、羽根部材４２Ａが２回開閉動作を実行する。このときの各開放時間は、約１秒である。
【００８５】
この羽根部材４２Ａの開放中に、タイミングよくパチンコ球が羽根部材４２Ａに乗り上がると、パチンコ球はセンター役物４２の中（特定の空間）に入賞することができる。
【００８６】
なお、この羽根部材４２Ａの開放中に、２個以上のパチンコ球が入賞する場合もあるが、以下では、通常の１個の入賞として説明する。
【００８７】
センター役物４２に入賞したパチンコ球は、既設面部２００に導かれる。このとき、切替装置２０２の切替部材２２０の可動片２１８が待避状態である場合には、パチンコ球は、既設面部２００へ到達する。
【００８８】
この既設面部２００は、第１のスロープ１１６Ａへパチンコ球が転動するように傾斜されており、この結果、パチンコ球は、第１のスロープ１１６Ａに沿って、円筒部材１００の周囲を左回り（図３の反時計回り）に約半周し、通常ステージ１２４へと至る。
【００８９】
ところで、センター役物４２内では、振分部材１０６が一定速度で一定方向（図３の反時計回り方向）に回転している。
【００９０】
このような状況下で、第１のスロープ１１６Ａから通常ステージ１２４に到達したパチンコ球は、通常ステージ１２４の高さ位置が、外れ設定収容部１０６Ａに設けられた周壁１２０の上端の高さ位置よりも高く設定されているため、振分部材１０６の全ての収容部（外れ設定収容部１０６Ａ又は当たり設定収容部１０６Ｂ）に収容可能である。従って、本実施の形態では、通常ステージ１２４にＹほって案内され当たり設定収容部１０６Ｂに収容される確率は１／１０となり、外れ設定収容部１０６Ａに収容される確率は９／１０となる。
【００９１】
ところで、本実施の形態では、所定の条件（前述の３種類の所定の条件の少なくとも１つ）が成立すると、演出用表示装置５０では、条件が成立したことを所定の演出パターンによって報知する。
【００９２】
前記演出パターンが実行され、結果が報知された時点で、前記ソレノイド本体２１４への通電を実行することで、切替部材２２０の可動片２１８が前記既設面部２００の上部に配置されることになる。
【００９３】
この結果、次の羽根部材４２Ａの開放機会に、パチンコ球がセンター役物４２の内部に入賞すると、パチンコ球はこの可動片２１８上に到達する。
【００９４】
この可動片２１８は、第２のスロープ１１６Ｂへパチンコ球が転動するように傾斜されており、この結果、パチンコ球は、第２のスロープ１１６Ｂに沿って、円筒部材１００の周囲を右回り（図３の時計回り）に約半周し、特別ステージ１２８へと至る。
【００９５】
ところで、センター役物４２内では、振分部材１０６が一定速度で一定方向（図３の反時計回り方向）に回転している。
【００９６】
このような状況下で、第２のスロープ１１６Ｂから特別ステージ１２８に到達したパチンコ球は、特別ステージ１２８の高さ位置が、外れ設定収容部１０６Ａに設けられた周壁１２０の上端の高さ位置よりも低く設定されているため、振分部材１０６の外れ設定収容部１０６Ａには、収容されない。一方、当たり設定収容部１０６Ｂには、周壁が存在しないため、収容される。従って、本実施の形態では、特別ステージ１２８によって案内されるパチンコ球が、当たり設定収容部１０６Ｂに収容される確率は１／１となる。
【００９７】
（当たり設定収容部１０６Ｂへの収容後の動作）
当たり設定収容部１０６Ｂにパチンコ球が入賞した状態で、振分部材１０６が回転を継続すると、最初に当たり孔１３２に対向する。このとき、当たり設定収容部１０６Ｂには、周壁が存在しないため、当たり孔１３２に対向した時点で、パチンコ球は当たり設定収容部１０６Ｂから当たり孔１３２へと移動し、当たり通路１３０へと案内される。
【００９８】
当たり通路１３０へ案内されたパチンコ球は、当たり球として認識され、遊技盤３２上の、通常は閉塞状態である大入賞口５３を所定時間、所定回数開放動作する。例えば、３０秒間の開放を１０〜１５回（ラウンド）繰り返すことで、通常であればアウト口５４へと至るパチンコ球を入賞へと導くことができ、短期間で多くの賞球払出を受けることができる、所謂遊技者に有利な遊技状態とすることができる。
【００９９】
なお、上記３０秒の開放中に、所定数（例えば、１０個）のパチンコ球が入賞した場合には、３０秒を経過するまえに大入賞口５３を一旦閉じ、次のラウンド移行させることが好ましい。
【０１００】
（外れ設定収容部１０６Ａへの収容後の動作）
外れ設定収容部１０６Ａにパチンコ球が入賞した状態で、振分部材１０６が回転を継続すると、最初に当たり孔１３２に対向する。このとき、外れ設定収容部１０６Ａには、周壁１２０が存在しているため、当たり孔１３２に対向しても、当該周壁１２０がパチンコ球の移動を阻止し、パチンコ球は外れ設定収容部１０６Ａから抜け出ることはない。
【０１０１】
振分部材１０６がさらに回転を継続すると、外れ孔１３８に対向する。このとき、外れ設定収容部１０６Ａには、底部が存在しないため、外れ設定収容部１０６Ａに収容されているパチンコ球は、外れ孔１３８へと移動し、外れ通路１３４へと案内される。
【０１０２】
以上説明したように本実施の形態では、パチンコ球がセンター役物４２の内部に受け入れられてから、振分部材１０６の何れかの収容部へ至るまでの案内ルートを２種類設け、それぞれの案内ルートとして、当たり設定収容部１０６Ｂへ収容する確率が１／１０の第１のスロープ１１６Ａと、当たり設定収容部１０６Ｂへ収容する確率が１／１の第２のスロープ１１６Ｂとを設定し、何れかのスロープへ案内するかを、ソレノイド本体２１４への通電／非通電によって動作する可動片２１８の位置（既設面部２００上への配置又は待避）によって選択するようにした。また、第２のスロープ１１６Ｂへの案内を条件が成立した場合とし、当該条件の成立を演出用表示装置５０における演出パターンで報知するようにしたため、遊技者による遊技球の物理的な移動の予測を困難とすることができ、遊技趣向性を向上することができる。
【０１０３】
なお、本実施の形態では、第１のスロープ１１６Ａに案内されたパチンコ球は必ず通常ステージに到達し、第２のスロープ１１６Ｂに案内されたパチンコ球は必ず特別ステージに到達するように、通常ステージ１２４と特別ステージ１２８との間に縦壁部１２６を設けたが、この縦壁部１２６の高さを低くする、或いは取り払うことで、ステージ間の移動を可能とすれば、さらに、予測がつきにくいパチンコ球の移動を期待することができる。
【０１０４】
なお、この場合、それぞれのステージの中央を凹ませることで、第１のスロープ１１６Ａから案内されたパチンコ球は通常ステージ１２４に保持される確率を高くし、第２のスロープ１１６Ｂから案内されたパチンコ球は特別ステージ１２８に保持される確率を高くするようにすることが好ましい。さらには、縦壁部１２６の高さを変更可能としてもよい。
【図面の簡単な説明】
【０１０５】
【図１】本実施の形態に係るパチンコ機の正面図である。
【図２】本実施の形態に係る遊技盤の正面図である。
【図３】センター役物内に設けられた振分装置の分解斜視図である。
【図４】振分装置の平面図である。
【図５】役物本体の斜視図であり、可動片の既設面部からの待避状態を示す斜視図、（Ｂ）は可動片の既設面部上への配置状態を示す斜視図である。
【符号の説明】
【０１０６】
１０    パチンコ機（遊技機）
４２    センター役物（役物ユニット）
４３    振分装置
３２    遊技盤
４２    センター役物
４６、４７    始動入賞口
５０    演出用表示装置
４２Ａ    羽根部材
１００    円筒部材
１０２    役物本体
１０４    支持ベース
１０６    振分部材
１０６Ａ    外れ設定収容部
１０６Ｂ    当たり設定収容部
１０８    切欠部
１１０    底板部
１１２    貫通孔
１１４    モータ（振分部材駆動手段）
１１６    スロープ（案内ルート）
１１６Ａ    第１のスロープ（第１の案内ルート）
１１６Ｂ    第２のスロープ（第２の案内ルート）
１２０    周壁
１２２    底部
１２４    通常ステージ
１２６    縦壁部
１２８    特別ステージ
１３２    当たり孔
１３８    外れ孔
２００    既設面部
２０２    切替装置
２１２    ソレノイドユニット
２１４    ソレノイド本体（駆動手段）
２１８    可動片（切替部材）
２２０    切替部材
【図１】
2006130126.tif 000003
【図２】
2006130126.tif 000004
【図３】
2006130126.tif 000005
【図４】
2006130126.tif 000006
【図５】
2006130126.tif 000007